(57)【要約】【課題】合格率の増加及び製造コストの低減が可能なメモリカードの転換接続器の設計を提供する。【解決手段】連接回路基板１、メモリカードコネクター２、連接端子組、ＰＣ回路板４、及びケーシングから構成され、メモリカードコネクター２は連接回路基板１に嵌め付けられて電気性に接続され、ＰＣ回路板４の板端には外接電気コネクター４１が結合されて電気性に接続される。連接回路基板１とＰＣ回路板４との間は連接端子組によって電気性に接続され、メモリカードコネクター２は連接回路基板１と連接端子組とによってＰＣ回路板４と電気性に接続され、外接電気コネクター４１に接続され、上述部材をケーシング枠５１に嵌め付け、二枚の蓋５２を覆い被せることによって構成される。【選択図】図１
0003127404.tif 000002
【実用新案登録請求の範囲】
【請求項１】
板面に多数組の複数回路接点が設けられる連接回路基板と、
跨り溶接によって連接回路基板に設けられるマルチプルインワン・メモリカードコネクターと、
塊状絶縁台の中に複数の連接端子が設けられて構成され、連接端子底部の接続脚はそれぞれ連接回路基板の回路接点に溶接され、ヘッド端の針状接続端はそれぞれ次に述べられる回路板の回路接点に溶接される連接端子組と、
板端に外接電気コネクターが結合され、板面の上には回路接点が設けられ、それぞれ連接端子組の連接端子の針状接続端との溶接に供されて電気性の接続を形成するＰＣ回路板と、
絶縁材からなる中空状の矩形の枠及び二枚の蓋から構成され、前記枠には二つの収容空間が具えられてそれぞれ連接回路基板とＰＣ回路板とが中での取り付けに供され、かつメモリカードコネクターの挿入端が一端に露出し、外接電気コネクターの挿入端は他端に露出するケーシングと、を備え、
連接回路基板及び連接端子組は、ＰＣ回路板と電気的に接続可能であり、外接電気コネクターへ接続され、ケーシング内に嵌め付け固定されていることを特徴とするメモリカードの転換接続器。
【請求項２】
前記連接回路基板の板面には窓孔が設けられ、窓孔にはメモリカードコネクターが跨り溶接され、窓孔の前、後板面には予め多数組みの複数回路接点が設けられることを特徴とする請求項１に記載のメモリカードの転換接続器。
【請求項３】
前記連接回路基板の回路接点はそれぞれメモリカードコネクターの接続端子の接続端及び連接端子の接続脚との接続に供されることを特徴とする請求項１に記載のメモリカードの転換接続器。
【請求項４】
前記ＰＣ回路板に設けられる外接電気コネクターは、ノートブック型コンピュータとの接続に使われるコネクターであることを特徴とする請求項１に記載のメモリカードの転換接続器。
【請求項５】
前記ＰＣ回路板に設けられる外接電気コネクターの後端両側の選定個所にはそれぞれ嵌め止め突起が設けられ、ケーシング枠の相対個所にはそれぞれ嵌め止め溝が設けられ、嵌め止め突起は嵌め止め溝に嵌め付けられることを特徴とする請求項１に記載のメモリカードの転換接続器。
【請求項６】
ケーシングの二枚の蓋は、それぞれ枠の上、下面を覆って結合されていることを特徴とする請求項１に記載のメモリカードの転換接続器。
【考案の詳細な説明】
【技術分野】
【０００１】
本考案はメモリカードの転換接続器の構造設計に関するもので、特にノートブック型コンピュータに運用されるエクスプレスカードのスロット専用のメモリカードの転換接続器に対して改善を行ったものを指す。
【背景技術】
【０００２】
従来の専門にエクスプレスカードのスロットの使用に供されるメモリカードの転換接続器は、マルチプルインワン・メモリカードスロット、ＰＣ回路板、外接スロット、及びケーシングから構成されるが、エクスプレスカードの厚さ仕様が５ｍｍ以内に制限されているので、メモリカードの転換接続器の一端に設置されるマルチプルインワン・メモリカードスロット及び他端のＰＣ回路板に接続される外接スロットは、転換接続器内部の組み立てが定位されたら、互いの間に高さの違いが存在し、この高さの違いを克服するため、そのマルチプルインワン・メモリカードスロットとＰＣ回路板との電気性接続は、そのマルチプルインワン・メモリカードスロットの複数本の接続端子を個別にプレスで折り曲げ成型した接続銅片をもってＰＣ回路板に布線して接続しているが、マルチプルインワン・メモリカードスロット内の接続端子の数が多く、かつ互いの間隔が極めて微小であるので、各接続銅片の互いの間の回路の敷設精度は特に精密さが要求され、各接続銅片は有限の高さ及び非常に狭い空間に於いて布線排列を行わなければならず、如何なる些細な誤りも容認できず、さもなければ電気性の接続に瑕疵が発生する。そのために接続銅片の加工がますます複雑になって製造コストが増え、かつ布線組み立てが難しくなり、更に狭い空間内の制限を受けるので合格率の達成が影響を受け、明らかにそれを改善する必要がある。
【考案の開示】
【考案が解決しようとする課題】
【０００３】
本考案の主要目的は、連接回路基板と連接端子組とのブリッジを経由してメモリカードの転換接続器の接続端子と回路板との線路の接続とし、メモリカードの転換接続器の接続端子と回路板との互いの接続構造及び組立作業を単純簡単にさせ、複雑なプレス折り曲げ及び線引き布線を行う必要がなく、かつ合格率の増加及び製造コストの低減の効果を達成するメモリカードの転換接続器の設計を提供するものである。
本考案の次の目的は外接コネクターとケーシング枠とに嵌め止め突起の嵌め止め固定方式を採用することにより、外接コネクターとケーシング枠との結合が更に安定性があるようになるメモリカードの転換接続器の設計を提供するものである。
【課題を解決するための手段】
【０００４】
メモリカードの転換接続器の一種で、連接回路基板、メモリカードコネクター、連接端子組、ＰＣ回路板、及びケーシングから構成され、メモリカードコネクターは連接回路基板に嵌め付けられて電気性に接続され、ＰＣ回路板の板端には外接電気コネクターが結合されて電気性に接続される。連接回路基板とＰＣ回路板との間は連接端子組によって電気性に接続され、メモリカードコネクターは連接回路基板と連接端子組とによってＰＣ回路板と電気性に接続され、更に外接電気コネクターに接続され、尚且つ上述部材をケーシング枠に嵌め付け、並びに二枚の蓋を覆い被せることによってメモリカードの転換接続器が構成される。
【考案を実施するための最良の形態】
【０００５】
図面に示す如く、本考案の一実施例による「メモリカードの転換接続器」の設計は、ＭＳメモリカード、ＸＤメモリカード、ＭＭＣメモリカード、ＳＤメモリカード等の接続使用を提供することができる転換接続器であり、その構成は連接回路基板１、メモリカードコネクター２、連接端子組３、ＰＣ回路板４、及びケーシングを備える。
連接回路基板１は、図１から図３に示すように、その板面には窓孔１１が設けられ、窓孔１１の前、後板面には予め複数の回路接点１２、１３が設けられ、かつ回路接点１２、１３の間にはそれぞれ接続応用のためのプリント回路の布局が設けられる。その中、回路接点１２はそれぞれメモリカードコネクター２の接続端子２２の接続端２２１、２２２との溶接接続に供され、回路接点１３はそれぞれ連接端子３２の接続脚３２１との接続に供される。
【０００６】
メモリカードコネクター２は、図１及び図３に示すように、マルチプルインワン・メモリカードコネクターで、跨り溶接方式を採用して連接回路基板１の窓孔１１に設けられる。メモリカードコネクター２は絶縁の台２１で選定個所に複数組の接続端子２２が設けられて構成され、その各組の接続端子２２はＭＳメモリカード、ＸＤメモリカード、ＭＭＣメモリカード、またはＳＤメモリカードと組み合せられて排列状に構成され、接続端子２２は接続端２２１、２２２によってそれぞれ連接回路基板１の回路接点１２に溶接され、それによって前述各種メモリカードの選択性挿入に供され、互いに組み合せられる接続端子２２と連接回路基板１のプリント回路を通じて電気性の接続が形成される。
【０００７】
連接端子組３は、塊状の絶縁の台３１に複数の連接端子３２が設けられて構成され、連接端子３２の底部接続脚３２１はそれぞれ連接回路基板１の回路接点１３に溶接され、ヘッド端の針状接続端３２２はそれぞれ次に述べるＰＣ回路板４の回路接点４２に溶接される。
ＰＣ回路板４は、図１及び図３に示すように、回路板にコントローラ（チップの制御）、スタータ等関連電子エレメント、及び必要な回路布局（回路布局は周知のものであるため、図面には示されていない）が組み付け設けられる。またＰＣ回路板４の板端には外接電気コネクター４１が結合され、外接電気コネクター４１はノートブック型コンピュータまたはその他電子設備のコネクターに使われ、それは絶縁台４１１のスロット４１２に複数の接続端子４１３が設けられて構成され、かつ接続端子４１３の溶接端はＰＣ回路板４の回路接点と電気性に接続される。また、ＰＣ回路板４の板面には回路接点４２が設けられてそれぞれ連接端子組３の連接端子３２の針状接続端３２２との溶接に供され、電気性の接続を形成する。
【０００８】
ケーシングは、図１、図４、及び図５に示すように、絶縁材からなる中空の矩形の枠５１及び二枚の蓋５２から構成される。その枠５１には二つの収容空間５１１、５１２が具えられてそれぞれ連接回路基板１とＰＣ回路板４との収容組み立てに供され、かつ前述メモリカードコネクター２の挿入端はケーシングの一端に露出し、外接電気コネクター４１の挿入端はケーシングの別の一端に露出している。更に二枚の蓋５２をもってそれぞれ枠５１の上、下二面に結合し、覆い被せ状の構成に現れる（図５から図７参照）。
【０００９】
上述各部材の構造特徴により、本実施例はメモリカードコネクター２を連接回路基板１の窓孔１１に跨り設け、かつ接続端子２２の接続端２２１、２２２をそれぞれ連接回路基板１の回路接点１２に溶接して基板内のプリント回路と電気性の接続を形成し、更にこのメモリカードコネクター２が結合される連接回路基板１をケーシングの枠５１の収容空間５１１に取り付けて定位する。外接電気コネクター４１が結合されるＰＣ回路板４はケーシングの枠５１の収容空間５１２に取り付けられて定位される。また連接回路基板１とＰＣ回路板４と間の電気性接続は連接端子組３の複数の連接端子３２により、底部の接続脚３２１をもってそれぞれ連接回路基板１の回路接点１３に溶接され、ヘッド端の針状接続端３２２はそれぞれＰＣ回路板４の回路接点４２に溶接される。このように、連接回路基板１と連接端子組３とは中間のブリッジを形成し、メモリカードコネクター２とＰＣ回路板４とは互いの間の電気性の接続を完成し、かつ両者のケーシングの枠５１が設置される場合に形成する高さの差異及び布線接続の問題を克服することができる。以上のように構成されたメモリカードの転換接続器は、使用者の転換接続器のノートブック型コンピュータまたはその他電子設備の適当個所への接続に供され、更にマルチプルインワン・メモリカードコネクター２を通じてＭＳメモリカード、ＸＤメモリカード、ＭＭＣメモリカード、またはＳＤメモリカードとの選択性挿入接続に供され、データのアクセスを行うことができる。
【００１０】
図８に示すように、本実施例のＰＣ回路板４の外接電気コネクター４１の後端は枠５１の一端に嵌め付けて固定される。その組み立て構造がより確実に定位されるため、本実施例は外接電気コネクター４１の後端両側の選定個所にそれぞれ嵌め止め突起４１４を設け、他に枠５１の対応個所に嵌め止め溝５１３が設けられ、これによってＰＣ回路板４を枠５１に結合すると、同時に嵌め止め突起４１４を嵌め止め溝５１３の中に嵌め付けることができ、ＰＣ回路板４及びその他関連部材とケーシングの結合はより穏当確実な効果が得られる。
【図面の簡単な説明】
【００１１】
【図１】本考案の一実施例によるメモリカードの転換接続器の分解斜視図である。
【図２】本考案の一実施例によるメモリカードの転換接続器の連接回路基板とＰＣ回路板との分解斜視図である。
【図３】本考案の一実施例によるメモリカードの転換接続器の連接回路基板とＰＣ回路板との結合状態の側面図である。
【図４】本考案の一実施例によるメモリカードの転換接続器の分解斜視図である。
【図５】本考案の一実施例によるメモリカードの転換接続器の斜視図である。
【図６】本考案の一実施例によるメモリカードの転換接続器の断面図である。
【図７】本考案の一実施例によるメモリカードの転換接続器の断面図である。
【図８】本考案の一実施例によるメモリカードの転換接続器の分解斜視図である。
【符号の説明】
【００１２】
１  連接回路基板、１１  窓孔、１２、１３、４２  回路接点、２  メモリカードコネクター、２１、４１１  絶縁台、２２、４１３  接続端子、２２１、２２２  接続端、３  連接端子組、３１  塊状絶縁台、３２  連接端子、３２１  接続脚、３２２  針状接続端、４  ＰＣ回路板、４１  外接電気コネクター、４１２  スロット、４１４  嵌め止め突起、５１  枠、５１１、５１２  収容空間、５１３  嵌め止め溝、５２  蓋
【図１】
0003127404.tif 000003
【図２】
0003127404.tif 000004
【図３】
0003127404.tif 000005
【図４】
0003127404.tif 000006
【図５】
0003127404.tif 000007
【図６】
0003127404.tif 000008
【図７】
0003127404.tif 000009
【図８】
0003127404.tif 000010